(57)【特許請求の範囲】
【請求項１】
所定のランニングまたはウォーキング経路（２）に沿ってランナーまたはウォーカー（１）を案内する方法であって、
ａ）ＧＰＳモジュール（３）によって前記ランナーまたはウォーカー（１）の実際の位置を決定するステップと；
ｂ）前記所定のランニングまたはウォーキング経路（２）に沿った位置に前記ランナーまたはウォーカー（１）の前記実際の位置を割り当てるステップと；
ｃ）前記ランナーまたはウォーカー（１）が前記所定のランニングまたはウォーキング経路（２）を次に
ｃ１）直進（Ｓ）、または、
ｃ２）左折（Ｌ）、または、
ｃ３）右折（Ｒ）
する必要があるか決定するステップと；
ｄ）前記ランナーまたはウォーカー（１）が着用した衣服（６）にまたは衣服（６）内に配置された少なくとも２つの発光素子（４、５）を制御するステップであって、少なくとも１つの左の発光素子（４）が前記衣服（６）の左手の領域に位置づけられ、少なくとも１つの右の発光素子（５）が前記衣服（６）の右手の領域に位置づけられ、
ｄ１）上記事例ｃ１）の場合は前記発光素子（４、５）を起動せず、
ｄ２）上記事例ｃ２）の場合は少なくとも１つの左の発光素子（４）を起動し、
ｄ３）上記事例ｃ３）の場合は少なくとも１つの右の発光素子（５）を起動する、ステップ、とを含み、
ステップｄ２）及びｄ３）による前記発光素子（４、５）の前記起動が、前記ランナーまたはウォーカー（１）がステップｃ２）及びｃ３）によって方向転換しなければならない地点までの距離に依存して制御され、
前記発光素子（４、５）の前記起動を、前記発光素子（４、５）によって放出される前記色に対して変える
ことを特徴とする方法。
【請求項２】
スマートフォン（７）に位置づけられる前記ＧＰＳモジュール（３）を使用し、
前記スマートフォン（７）が前記衣服（６）の受入チャンバ（８）に配置される、または、前記衣服（６）内のまたは前記衣服（６）の保持装置に保持される
請求項１に記載の方法。
【請求項３】
前記ＧＰＳモジュール（３）と前記発光素子（４、５）を制御する制御要素（９）との間の前記通信が無線で行われる
請求項１または２に記載の方法。
【請求項４】
前記無線通信がブルートゥース（登録商標）接続である
請求項３に記載の方法。
【発明の詳細な説明】
【技術分野】
【０００１】
本発明は、所定のランニングまたはウォーキング経路に沿ってランナーまたはウォーカーを案内する方法に関するものである。さらにまた、本発明は、所定のランニング経路に沿ってランナーまたはウォーカーを案内する装置に関するものである。
【背景技術】
【０００２】
ランナーまたはウォーカーが知らない場所でスポーツ活動を行いたいとき、方向に関する問題が生じる可能性がある。ときには、誰かがそのスポーツ愛好者に好適なランニングまたはウォーキング経路を説明する必要がある。これは特に、たとえばスポーツ愛好者が人に知られていないランニング経路に沿ってある場所を通るジョギングを行いたい場合である。ときには、標識がランニング経路を示すために配置される。これは夜には利点が限定される。ランニング経路がスポーツ愛好者に説明された場合、スポーツ愛好者はその内容を覚えておかなければならない。コースに多くのカーブがある場合、これは特に重要である。
【発明の概要】
【発明が解決しようとする課題】
【０００３】
したがって、スポーツ愛好者がランニングまたはウォーキング経路を全く知らない場合でも、安全かつ容易に方向を得ることができる方法及び装置を提案することが、本発明の目的である。したがって、スポーツ中の容易かつ効果的なナビゲーションは、ランニングまたはウォーキング経路に沿って可能でなければならない。
【課題を解決するための手段】
【０００４】
本発明によるこの目的の解決方法は、方法が、
ａ）ＧＰＳモジュールによってランナーまたはウォーカーの実際の位置を決定するステップと；
ｂ）所定のランニングまたはウォーキング経路に沿った位置にランナーまたはウォーカーの実際の位置を割り当てるステップと；
ｃ）ランナーまたはウォーカーが所定のランニングまたはウォーキング経路を次に
ｃ１）直進、または、
ｃ２）左折、または、
ｃ３）右折
する必要があるか決定するステップと；
ｄ）ランナーまたはウォーカーが着用した衣服にまたは衣服内に配置された少なくとも２つの発光素子を制御するステップであって、少なくとも１つの左の発光素子が衣服の左手の領域に位置づけられ、少なくとも１つの右の発光素子が衣服の右手の領域に位置づけられ、
ｄ１）上記事例ｃ１）の場合は発光素子を起動せず、
ｄ２）上記事例ｃ２）の場合は少なくとも１つの左の発光素子を起動し、
ｄ３）上記事例ｃ３）の場合は少なくとも１つの右の発光素子を起動する
ステップ
を含むことで特徴付けられる。
【０００５】
この方法のステップは好ましくは、ランナーまたはウォーカーが自分のランニングまたはウォーキング経路の最後に到達するまで、繰り返されて、周期的に実行される。
【０００６】
スマートフォンに位置づけられるＧＰＳモジュールを使用することができ、ここで、スマートフォンは衣服の受入チャンバに配置される、あるいは、衣服内のまたは衣服の保持装置に保持される。
【０００７】
ＧＰＳモジュールと発光素子を制御する制御要素との間の通信は好ましくは、無線で行われる。特に、無線通信は、当該技術分野でよく知られており、ここで詳細に記載する必要がないブルートゥース（登録商標）接続とすることができる。
【０００８】
上記ステップｄ２）及びｄ３）による発光素子の起動は、ランナーまたはウォーカーが上記ステップｃ２）及びｃ３）によって方向転換しなければならない地点までの距離に依存して制御することができる。これにより、方向転換を行わなければならない十分手前で、ランナーまたはウォーカーに有益に警告される。発光素子の起動には、発光素子の起動の強度（より大きいまたはより小さい光の強度）に対して変化する可能性がある。ここで、発光素子の起動には、それらの起動を周期的に遮ることによって変化する別の可能性がある。発光素子は、方向転換を行わなければならない位置より手前で周期的に点滅させることができ、それぞれの地点で、休みなしの照明を行い、ランナーまたはウォーカーに今、方向転換しなければならないことを合図することができる。また、発光素子の起動を発光素子によって放出される色に対して変えてもよい。異なる色を有する異なるＬＥＤが使用される場合、方向転換する地点に到達したときに色を変えることができる。
【０００９】
所定のランニングまたはウォーキング経路に沿ってランナーまたはウォーカーを案内するための装置は、
−  衣服の左手部分に位置づけられる少なくとも１つの左の発光素子と、衣服の右手部分に位置づけられる少なくとも１つの右の発光素子とを備える、ランナーまたはウォーカーによって着用される衣服と、
−  ＧＰＳモジュールを備えるスマートフォンの受入または保持のための受入チャンバまたは保持装置と、
−  スマートフォンによって発信される信号に従って発光素子の起動を制御するための制御要素と、
−  制御要素をスマートフォンと接続するための接続手段と
を備えることで特徴付けられる。
【００１０】
接続手段は好ましくは、ブルートゥース（登録商標）接続を確立するための要素を備える。
【００１１】
受入チャンバは、衣服の内側のポケットとすることができる。
【００１２】
発光素子は好ましくは、衣服の腕袖に固定される光ファイバ（ガラスファイバ）である。
【００１３】
好ましくは、それぞれ１つの単一の発光素子は、衣服の左及び右の領域に配置される。
【００１４】
衣服は好ましくは、少なくともランナーまたはウォーカーの肘まで達する２つの腕袖を有する。
【００１５】
衣服は好ましくはランナーのジャケットである。
【００１６】
したがって、本発明は、ランナーまたはウォーカーが知らない場所で方向を得るための効果的なツールを供給するために、そのＧＰＳナビゲーション機能を有するスマートフォンが使用されるという考えに基づいている。ランナーまたはウォーカーは、適切なスマートフォンアプリの使用によって、スマートフォンに保存された経路に沿って光学信号によって案内される。
【００１７】
上記の説明による左への方向転換または右への方向転換が、必ずしも９０°の回転を意味するというわけではないことは理解されなければならない。また、ランニングまたはウォーキング経路に従ってもよい事例に関して、９０°未満の右または左へのわずかな方向転換を行わなければならないことは光学的に合図することができる。左または右へのわずかな方向転換のみ必要であるときは光学信号があまり激しくないようにすることができる。
【００１８】
したがって、スマートフォンが特に身体トレーニング（ランニング）中の支援に使用されることは、本発明の概念の重要な態様である。有利には、少なくとも２つの異なる光学素子（光ファイバ／ガラスファイバ）が衣服に固定され、一方は衣服の左側、もう一方は衣服の右側に固定される。
【００１９】
光学素子（光ファイバ／ガラスファイバ）は、身体トレーニングの間に着用されるスマートフォンと通信するブルートゥース（登録商標）装置と接続される。状況に応じて、スマートフォンによって制御され、光がブルートゥース（登録商標）装置を介して異なる光ファイバに放出される。そうして、方向（左／右）を衣服の着用者に示し、ランニング経路に沿って案内することができる。
【００２０】
図面に本発明の実施形態が示される。
【図面の簡単な説明】
【００２１】
【図１】ランニングジャケットであるスポーツ用衣服の前面図
【図２】ランニング経路を破線で示す、ランニングコースの平面図
【図３】本発明によるスポーツ用衣服の一部を概略的に示す説明図
【発明を実施するための形態】
【００２２】
図１に、２つの（長）腕袖１１及び１２を有する、ランナーのジャケットである衣服６が示される。衣服６の内側に、スマートフォン７が挿入される受入チャンバ８（図３参照）が配置される。特徴として、２つの発光素子４、５が衣服６に配置される。左の発光素子４は左腕袖１１に沿って延在し、右の発光素子５は右腕袖１２に沿って延在する。
【００２３】
図３に、構成の詳細が概略的に示される。スマートフォン７が挿入される衣服６の受入チャンバ８が示されている。通常通り、スマートフォン７はＧＰＳモジュール３を有する、すなわち、スマートフォン７の着用者の正確な位置を検出することができる。スマートフォン７は、（本事例においてはブルートゥース（登録商標）接続である）接続手段１０を介して、衣服６に取り付けられた制御要素９と通信することができる。
【００２４】
スマートフォン７には、ウォーキング経路２、すなわちランニングルート（図２の破線参照）を保存できるアプリがインストールされる。ランナー（すなわち、衣服６の着用者）は保存されたランニング経路２を走ることを望んでいる。
【００２５】
ナビゲーションにおいてランニング経路２に沿ったそれぞれの方向づけを支援するために、スマートフォン７で動作するアプリは、ブルートゥース（登録商標）接続１０を介して制御要素９に信号を転送する。制御要素９は、制御要素９によって切り換えることができる２つの発光ダイオード（ＬＥＤ）１３及び１４を有する。ＬＥＤ１３及び１４は、左の発光素子４及び右の発光素子５と接続される。結果的に、スマートフォン７の、したがってランナーの検出された位置によって、そして、保存されたランニング経路２によって、左または右の発光素子４、５を介して（すなわち、衣服６に固定された光ファイバを介して）光信号を表示させることができる。
【００２６】
これは、（破線で示される）定義されたランニング経路２に沿ってランニングを行うためにランナー１によって選択された森林または同様のものの平面図を示す図２に示される。
【００２７】
ランニング経路２は、ランニング経路２の終点でもある地点Ｉから始まる。ランニング経路は矢印に沿って通過しなければならない。ランナー１の実際の位置は、スマートフォン７のＧＰＳモジュール３によって調べられて、保存されたランニング経路２と比較される。
【００２８】
ランナー１が地点ＩＩに接近すると、ランナー１の実際の位置のランニング経路２との比較により、ランニング経路２に従うために左Ｌへの方向転換が必要であることが示される。したがって、ランナー１が地点ＩＩに接近すると、制御要素９は左の発光素子４を照らし出すＬＥＤ１３を起動する。そうして、ランナー１は左に方向転換するためのヒントを得る。
【００２９】
そのため、ランナー１が地点ＩＩＩに接近すると、制御要素９は右の発光素子５を照らし出すために発光ダイオード１４を起動する。したがって、ランナー１は右Ｒに方向転換するように警告される。
【００３０】
ランナー１が直進Ｓし続けなければならない間（たとえば地点ＩＶ参照）、発光素子４、５は起動されない。
【００３１】
このようにして、ランナー１は全ランニング経路２に沿って案内される。最後に、ランナーは、左Ｌへの最後の方向転換を行わなければならない地点Ｖに到達する。したがって、最後に、左の発光素子４が制御要素９によって起動される。
【００３２】
そうして、保存されたランニング経路２が、スマートフォン７のアプリの保存データに従って、ランナー１によって通過され、ランニング経路１に沿って光学的方法で指示される。
【符号の説明】
【００３３】
１  ランナー／ウォーカー
２  ランニング／ウォーキング経路
３  ＧＰＳモジュール
４  左の発光素子
５  右の発光素子
６  衣服
７  スマートフォン
８  受入チャンバ
９  制御要素
１０  接続手段
１１  腕袖
１２  腕袖
１３  発光ダイオード
１４  発光ダイオード
Ｓ  直進
Ｌ  左折
Ｒ  右折
【図１】
0006605599.tif 000002
【図２】
0006605599.tif 000003
【図３】
0006605599.tif 000004